(57)【特許請求の範囲】
【請求項１】
三相交流のそれぞれの位相ラインには進相コンデンサが配置されるようになっており、少なくとも２つの位相ラインには、該位相ラインの各々と前記進相コンデンサとの間に、接続又は遮断のためにスイッチ回路が設けられ、前記スイッチ回路のそれぞれに、該スイッチ回路を接続状態にするようにオン信号を送るコントローラを有する、三相交流進相コンデンサ用スイッチング制御装置であって、
前記スイッチ回路の各々は、逆並列接続された一対のサイリスタを備え、
更に、前記スイッチ回路の各々は、前記サイリスタの両端の電圧を検出する手段と、前記検出手段からの信号を受けて前記電圧が、ゼロレベルより高い、所定値以下になったことを判定し、該電圧が前記所定値より下降した状態から上昇に転ずる上昇点を判定する手段と、前記上昇点においてトリガ信号を生成して、前記コントローラから前記オン信号が送られているとき、前記サイリスタのゲートに前記トリガ信号を送るトリガ信号生成手段とを備え、
前記判定する手段は、前記検出手段からの信号を受けて前記電圧が、ゼロレベルより高いが該ゼロレベルに近い所定値以下になったことを判定する電圧レベル判定手段と、前記所定値以下の電圧が前記所定値より下降した状態から上昇に転ずる上昇点を判定する電圧上昇判定手段とから成り、前記電圧上昇判定手段は、前記所定値より下降した状態から上昇に転ずる上昇点を判定した時に、前記トリガ信号生成手段に上昇点判定信号を送り、前記トリガ信号生成手段は、前記上昇点判定信号を受けた時に前記サイリスタへのトリガ信号を生成して該サイリスタへ送り、前記サイリスタ両端の電圧がゼロ交差する前に前記サイリスタをオン動作させる、
ことを特徴とするスイッチング制御装置。
【請求項２】
請求項１に記載の装置において、前記進相コンデンサは、前記三相交流の位相ラインにデルタ接続されており、２つの位相ラインは、それぞれ、前記スイッチ回路を介して前記進相コンデンサの接続点に接続され、他の１つの位相ラインは、直接、前記進相コンデンサの接続点に接続されている、ことを特徴とする装置。
【請求項３】
請求項１又は２に記載の装置において、前記三相交流の位相ラインは、三相交流発電機の三相出力ラインのそれぞれに接続されており、該三相交流発電機には、電動機等の負荷機器が接続されており、前記進相コンデンサは、前記発電機に接続された前記負荷機器に伴なう無効電力を相殺又は減少して力率を改善するのに用いられる、ことを特徴とする装置。
【請求項４】
請求項１〜３のいずれか１項に記載の装置において、前記コントローラのオン信号は、前記スイッチ回路を接続状態にする指示信号であり、該オン信号の出力の停止は、前記スイッチ回路を遮断状態にする指示信号である、ことを特徴とする装置。
【請求項５】
請求項１〜４のいずれか１項に記載の装置において、前記コントローラのオン信号は、前記トリガ生成手段に入力されている、ことを特徴とする装置。
【請求項６】
請求項１〜５のいずれか１項に記載の装置において、前記電圧上昇判定手段は、誤りの防止のために、複数回、前記電圧の上昇を判定して前記電圧の上昇の回数が規定値に達しているどうかを判定する、ことを特徴とする装置。
【請求項７】
請求項６に記載の装置において、前記電圧上昇判定手段は、前記電圧の上昇の回数が前記規定値に達したと判定したときに、前記トリガ信号生成手段に前記上昇点判定信号を送る、ことを特徴とする装置。
【請求項８】
請求項６又は７に記載の装置において、前記トリガ信号生成手段には、前記コントローラの前記オン信号が入力されており、該トリガ信号生成手段は、前記サイリスタの前記オン動作の期間を定める前記トリガ信号の時間幅を、前記オン信号の期間によって定めている、ことを特徴とする装置。
【請求項９】
請求項８に記載の装置において、前記コントローラは、前記トリガ信号生成手段からの前記トリガ信号の前記時間幅の終了時以降における前記サイリスタの両端の電圧が減少するかどうかを判定して、前記電圧の減少がない場合に故障と判定する、ことを特徴とする装置。
【発明の詳細な説明】
【技術分野】
【０００１】
本発明は、三相交流進相コンデンサ用スイッチング制御装置に関し、特に、三相交流発電機の力率の改善に適した進相コンデンサを高速で接続する、三相交流進相コンデンサ用スイッチング制御装置に関する。
【背景技術】
【０００２】
三相交流発電機において、無効電力に伴なう力率の低下は改善されねばならない。従来から、さまざまな発電機用無効電力補償が提案されている。三相交流発電機の負荷機器の代表的なものとして、三相交流電動機があるが、その無効電力の減少又は相殺のため、三相交流ラインに進相コンデンサを設けて無効電力補償することが知られている。
【０００３】
【特許文献１】特開２００６−１０９６４９号公報
【特許文献２】特開２００６−３１１６８６号公報
【発明の開示】
【発明が解決しようとする課題】
【０００４】
特許文献１に記載の無効電力補償は、三相交流電動機等の負荷機器へ流れる三相交流ラインの各ラインの電圧と周波数を基に各進相コンデンサの実容量を判断して、負荷機器に通電する電流の位相を制御して、進相コンデンサの容量変化に伴なう力率を改善する。
【０００５】
特許文献２に記載の無効電力補償は、誘導電動機による無効電力の量に応じて進相コンデンサの容量が適正になるようにオン・オフして、力率を改善する。
【０００６】
特許文献１の無効電力補償も特許文献２の無効電力補償も力率の改善には寄与する。しかし、適正な容量の進相コンデンサを各三相交流ラインへ接続するのに時間的な遅れがあれば、その遅れに伴なって力率改善の効果が遅れる。特許文献１及び特許文献２に記載の装置はいずれも、かかる進相コンデンサの高速の接続には対処していない。
【０００７】
一般的に、三相交流進相コンデンサ用スイッチング制御装置は、三相交流のそれぞれの位相ラインに配置される進相コンデンサと、位相ラインの各々と各進相コンデンサとの間に、接続又は遮断のために設けられたスイッチ回路と、スイッチ回路のそれぞれにオン信号を送るコントローラとを有する。スイッチ回路の各々は、逆並列接続された一対のサイリスタを備えており、サイリスタの両端の電圧がゼロになるゼロ交差（いわゆるゼロクロス）によってオン・オフを行っている。
【０００８】
サイリスタを遮断するとき、サイリスタ電流がゼロになるタイミングは三相の位相ラインにおいて位相のずれがあるために、位相ライン毎に異なる。したがっていずれかの位相ラインの電流がゼロになったときにその位相ライン上のサイリスタはオフとなり遮断される。このとき、オフになった位相ラインの電流は電圧より６０度進んでいるので電圧のピーク値の８６％の電圧が進相コンデンサに印加された状態となる。そして、位相が遅れた別の位相ラインにおいてはさらに電流が流れ続けることになる。従って、先にオフした位相ラインのコンデンサはさらに充電され電源電圧のピーク値を越える現象が生じる。コンデンサ電流は電圧より９０度だけ位相が進んでいるため電源電圧の最大値に充電した時にオフになる。このコンデンサ接続において高調波を防止するため直列リアクトルを挿入していると、最初にオフとなった位相ラインの進相コンデンサは電源電圧よりもはるかに高い電圧に充電され、サイリスタの陰極-陽極間の電圧は短時間のうちにゼロレベル（すなわち０ボルト）になることがない。そのため一般のゼロクロス制御方式では、放電リアクトル等により進相コンデンサが電源電圧以下に放電するまで、スイッチ回路がオン状態とならず、次の迅速な接続動作を達成することができなかった。
【０００９】
本発明の目的は、進相コンデンサの接続を高速にできる、三相交流進相コンデンサ用スイッチング制御装置を提供することにある。
【課題を解決するための手段】
【００１０】
上記目的を達成するため、本発明によれば、三相交流のそれぞれの位相ラインには進相コンデンサが配置されるようになっており、少なくとも２つの位相ラインには、該位相ラインの各々と前記進相コンデンサとの間に、接続又は遮断のためにスイッチ回路が設けられ、前記スイッチ回路のそれぞれに、該スイッチ回路を接続状態にするようにオン信号を送るコントローラを有する、三相交流進相コンデンサ用スイッチング制御装置であって、前記スイッチ回路の各々は、逆並列接続された一対のサイリスタを備え、更に、前記スイッチ回路の各々は、前記サイリスタの両端の電圧を検出する手段と、前記検出手段からの信号を受けて前記電圧が、ゼロレベルより高い、所定値以下になったことを判定し、更に、該電圧が前記所定値より下降した状態から上昇に転ずる上昇点を判定する手段と、前記上昇点においてトリガ信号を生成して、前記コントローラから前記オン信号が送られているとき、前記サイリスタのゲートに前記トリガ信号を送るトリガ信号生成手段とを備え、前記判定する手段は、前記検出手段からの信号を受けて前記電圧が、ゼロレベルより高いが該ゼロレベルに近い所定値以下になったことを判定する電圧レベル判定手段と、前記所定値以下の電圧が前記所定値より下降した状態から上昇に転ずる上昇点を判定する電圧上昇判定手段とから成り、前記電圧上昇判定手段は、前記所定値より下降した状態から上昇に転ずる上昇点を判定した時に、前記トリガ信号生成手段に上昇点判定信号を送り、前記トリガ信号生成手段は、前記上昇点判定信号を受けた時に前記サイリスタへのトリガ信号を生成して該サイリスタへ送り、前記サイリスタ両端の電圧がゼロ交差する前に前記サイリスタをオン動作させる、ことを特徴とするスイッチング制御装置が提供される。
【００１１】
上記のように、サイリスタ両端の電圧がゼロ交差する前にサイリスタをオン動作させるので、進相コンデンサの接続を高速にできる。従って、力率の改善の効果が遅れることがなくなる。
【００１２】
上記装置において、前記進相コンデンサは、前記三相交流のラインにデルタ接続されており、２つの位相ラインは、それぞれ、前記スイッチ回路を介して前記進相コンデンサの接続点に接続され、他の１つの位相ラインは、直接、前記進相コンデンサの接続点に接続されている。また、前記三相交流の位相ラインは、三相交流発電機の三相出力のそれぞれに接続されており、該三相交流発電機には、電動機等の負荷機器が接続されており、前記進相コンデンサは、前記発電機に接続された前記負荷機器に伴なう無効電力を相殺又は減少して力率を改善するのに用いられる。
前記コントローラのオン信号は、前記スイッチ回路を接続状態にする指示信号であり、該オン信号の出力の停止は、前記スイッチ回路を遮断状態にする指示信号である。前記コントローラのオン信号は、前記トリガ生成手段に入力されている。前記電圧上昇判定手段は、誤りの防止のために、複数回、前記電圧の上昇を判定する。
【発明を実施するための最良の形態】
【００１３】
以下、図面を参照して、本発明に係る好ましい実施形態、並びに、本発明を理解する上での参考実施形態を説明する。図１において、三相交流発電機１には、電動機等の負荷機器２が接続されている。三相交流発電機の三相交流の位相ラインＲ、Ｓ、Ｔには、進相コンデンサ３、４及び５が、デルタ接続形態で接続されている。位相ラインＲ、Ｓ、Ｔと進相コンデンサ３、４、５の間には、三相交流進相コンデンサ用スイッチング制御装置６が設けられている。三相交流進相コンデンサ用スイッチング制御装置６は、例えば、電動機等の負荷機器２の動作に伴なって三相交流の位相ラインＲ、Ｓ、Ｔに生ずる無効電力を、相殺又は減少する進相コンデンサ３，４、５を適切に接続したり、又はその接続の遮断を行う。
【００１４】
三相交流進相コンデンサ容量スイッチング制御装置６は、２つの位相ラインＲ及びＴにデルタ接続された進相コンデンサ３、４、５の接続点７及び９の間に、接続又は遮断のために設けられた、第１スイッチ回路１０及び第２スイッチ１１と、これらのスイッチ回路１０及び１１のそれぞれにオン信号を送るコントローラ１２とを有する。更に、制御装置６は、発電機１の位相ラインＲ、Ｓ、Ｔに設けられた電力トランスＰＴ及び電流トランスＣＴから電力及び電流を受けて、電力等の測定を行う電力測定部１３を備え、この電力測定部１３の出力がコントローラ１２に入力されている。電力測定部１３は、三相交流の位相ラインＲ、Ｓ、Ｔにおける電力、電流、電圧、周波数を測定する。図示のように、第１スイッチ回路１０は、位相ラインＲに設けられ、第１スイッチ回路１０の出力が進相コンデンサの接続点７に接続される。第２スイッチ回路１１は、位相ラインＴに設けられ、第２スイッチ回路１１の出力が進相コンデンサ接続点９に接続される。位相ラインＳには、スイッチ回路は設けられずに、位相ラインＳが接続点８に直接接続されている。
【００１５】
進相コンデンサ３、４、５は、接続点７、８、９によってデルタ接続されている。接続点７及び９の入力側には、突流抑止や高調波防止のために、リアクトル（コイル）１４及び１５が、直列に設けられている。なお、接続点７と８の間に並列に設けられた抵抗１６と接続点８と９の間に並列に設けられた抵抗１７とは、進相コンデンサ３、４、５の放電用の抵抗であり、通常、進相コンデンサ３、４、５の収容ボックス（図示せず）に内蔵される。
【００１６】
コントローラ１２は、電力測定部１３で測定された、皮相電力、無効電力、有効電力、電流、電圧、周波数等の測定後の、種々の信号を受ける。なお、本発明の制御に関係するのは、無効電力である。コントローラ１２は、無効電力信号を受けた場合、デルタ接続された進相コンデンサ３、４、５を、位相ラインＲ、Ｓ、Ｔに有効に投入するように、第１スイッチ回路１０及び第２スイッチ回路１１にオン信号をライン１８を介して入力する。このオン信号は、スイッチ回路を接続状態にする接続指令すなわち接続指示信号であり、該オン信号の出力の停止は、スイッチ回路を遮断状態にする切断指令すなわち切断指示信号である。
【００１７】
第１スイッチ回路１０及び第２スイッチ回路１１は、それぞれ、同じ回路で構成されている。各スイッチ回路は、逆並列接続された一対のサイリスタＳＣＲ１及びＳＣＲ２を備えている。サイリスタＳＣＲ１及びＳＣＲ２は、陽極−陰極間に順方向電圧が印加された状態でゲートにトリガ信号（オン信号）が加わると、オンになり、陽極−陰極間の電圧がゼロレベルを交差して逆方向電圧が印加される時点でオフになる。位相ラインＲ−Ｓ間及びＴ−Ｓ間には三相交流電圧が印加されるので、逆方向に並列接続されたサイリスタＳＣＲ１及びＳＣＲ２は、ゲートにトリガ信号が入力されていれば、交互にオンになり、トリガ信号がオン状態にある限り、スイッチ回路１０又は１１が全体としてオン状態が持続して、位相ラインＲ及びＳのそれぞれが、進相コンデンサ３〜５の切断点７及び９に接続される。
【００１８】
ここで、一般のゼロ交差式の三相交流進相コンデンサ用スイッチング制御装置における動作を、図１の装置を参考にし、図２及び図３の波形図を参照して説明する。電力測定部１３で、無効電力を測定することから始まる。最初は、進相コンデンサ３〜５は投入されていないので、発電機１に接続された負荷機器２に伴なう無効電力を電力測定部１３で測定する。負荷機器２が起動すると、無効電力が観測されて電力測定部１３はコントローラ１２に信号を送る。コントローラ１２からは、それに見合った、進相コンデンサ３〜５の投入のためのオン信号が、第１スイッチ回路１０及び第２スイッチ回路１１に送られる。これによって、力率の改善のために、進相コンデンサ３〜５が三相交流の位相ラインＲ〜Ｔに接続されて無効電力を減少又は相殺するように作用しようとする。
【００１９】
次に、接続された進相コンデンサ３〜５の接続の遮断を行う場合には、第１スイッチ回路１０及び第２スイッチ回路１１に、コントローラ１２からオン信号の切断が行われ、それが切断指令となる。例えば、第１スイッチ回路図１０の場合、図２（Ａ）の波形図において、ｔ０の時点で、サイリスタＳＣＲ１及びＳＣＲ２に、コントローラ１２から切断指令（オン信号の停止）を出力すると、位相ラインＲのＲ相電流がｔ１の時点で電流が０になり、まず位相ラインＲに接続された第１スイッチ回路１０のサイリスタＳＣＲ１及びＳＣＲ２がオフ（遮断）する。このとき、進相コンデンサ側のＲ−Ｓ間電圧は、電源側の電圧を超えていないが、位相ラインＴに接続された第２スイッチ回路１１のサイリスタＳＣＲ１及びＳＣＲ２は、まだオン（接続）状態にあるため、進相コンデンサ側電圧は電源側電圧を超えて上昇する。この上昇は、図２（Ａ）及び（Ｂ）の波形図において、ｔ２の時点で、位相ラインＴに接続されたサイリスタＳＣＲ１、ＳＣＲ２がオフにされるまで継続し、ｔ２の時点では、電源側の電圧を超えてしまうことになる。
【００２０】
位相ラインＲ側が先に切断されているので、位相ラインＴの側は、単相接続の電流波形となり、進相コンデンサ側のＲ−Ｓ間電圧は、電源側のＲ−Ｓ間電圧のピーク値に充電された状態で変動が終了する。第１スイッチ回路１０及び第２スイッチ回路１１のすべてがオフになると、それぞれの進相コンデンサ３〜５は内蔵の放電抵抗１６、１７により放電するが、放電抵抗１６、１７と進相コンデンサ３〜５との時定数は１分程度なので、進相コンデンサ側のＲ−Ｓ間電圧は、すぐには電源側の電圧より低くなることはない。図３の（Ａ）〜（Ｃ）を参照すると、電源側のＲ−Ｓ間電圧（図３（Ａ））、進相コンデンサ側のＲ−Ｓ間電圧（図３（Ｂ））、及びサイリスタＳＣＲ１及びＳＣＲ２の陽極−陰極間電圧（＝電源側のＲ−Ｓ間電圧の−進相コンデンサ側のＲ−Ｓ間電圧：（図３（Ｃ））が示されている。図３（Ｃ）に示されるように、進相コンデンサ側のＲ−Ｓ間電圧は、すぐには電源側の電圧より低くなることはないので、次回、コントローラ１２からオン信号（すなわち接続指令）が送出された時、位相ラインＲに接続された第１スイッチ回路１０のサイリスタＳＣＲ１（又はＳＣＲ２）の陽極−陰極間電圧は０になることはなく、放電手段が抵抗１６のみの場合、数十秒以上の時間経過がなければ、進相コンデンサ側のＲ−Ｓ間電圧は電源側の電圧以下になりえず、その期間は、ゼロ交差（ゼロクロス）による接続は行えないことになる。
【００２１】
上記のゼロ交差式三相交流進相コンデンサ用スイッチング制御装置における不具合を解消するのが本発明に係る三相交流進相コンデンサ用スイッチング制御装置である。本発明では、ゼロ交差（クロス）によるサイリスタ接続を用いずに、電源側の電圧が、一定値以下（但し、ゼロレベルではない）に到ったとき、その半波の最少値でトリガ指令を送出してサイリスタの接続動作を行わせることにより、高速に接続動作を行うようにする。
【００２２】
図４及び図５を参照して、本発明に係るスイッチ回路１０（又は１１）を説明する。図４において、スイッチ回路１０（又は１１）は、逆並列切断された一対のサイリスタＳＣＲ１及びＳＣＲ２の両端Ａ及びＢの電圧差を検出する電圧検出手段２０と、電圧検出手段２０からの信号を受けて両端Ａ及びＢの電圧が、ゼロレベルより高い、所定値以下になったことを判定する電圧レベル判定手段２１と、両端Ａ及びＢの電圧が前記所定値より下降した状態から上昇に転ずる上昇点を判定する電圧の上昇判定手段２２と、判定した前記上昇点においてトリガ信号を生成するトリガ信号生成手段２３とを備える。トリガ信号生成手段２３には、コントローラ１２（図１参照）から出力されるオン信号が送られる。トリガ信号生成手段２３は、電圧の上昇判定手段２２から送られた上昇点信号を受けて、コントローラ１２からオン信号が送られているとき、トリガ信号を生成してそのトリガ信号をライン２４及び２５を通してサイリスタＳＣＲ１及びＳＣＲ２のゲートに送る。これによって、サイリスタ両端の電圧がゼロ交差する前にサイリスタＳＣＲ１又はＳＣＲ２をオン動作させる。なお、電圧レベル判定手段２１と電圧の上昇判定手段２２とトリガ信号生成手段２３とは、ＡＳＩＣ等のプロセッサ等で単一の回路で構成してもよい。また、電圧検出手段２０には、ＡＤコンバータを設けて、アナログ値をデジタル値に変換するようにしてもよい。
【００２３】
図５を参照して、コントローラ１２と図４のスイッチ回路１０（又は１１）の動作を説明する。ステップＳ０１において、コントローラ１２は、電力測定部１３からの信号に応じて、位相ラインＲ〜Ｔに進相コンデンサ３〜５を接続すべき状態、すなわちオン指令を出すべき状態かどうかを判定して、オン指令を発すべきでない場合（Ｎｏ）、ステップＳ０２において、スイッチ回路のサイリスタにはオン信号を出力しない（オフ指令）状態にする。オン指令を発すべき場合（Ｙｅｓ）、ステップＳ０３において、サイリスタの両端Ａ及びＢの電圧を、電圧検出手段２０で測定する。この電圧の測定値信号は、電圧レベル判定手段２１に送られ、規定電圧（所定値）以下であるかどうを判定する（ステップＳ０４）。この規定電圧の所定値は、ゼロレベルよりも高く設定されている。図３（Ｃ）のサイリスタの陽極−陰極間電圧の波形図において、０ボルトより高い電圧レベルＶ０に選定される。規定電圧以下でない場合（Ｎｏ）、ステップＳ０３に戻って、ステップＳ０４の判定を繰り返す。この判定を行うのは、電圧レベル判定手段２１である。
【００２４】
規定電圧以下である場合（Ｙｅｓ）、再度、サイリスタの両端Ａ及びＢの電圧の測定値が読取られて（ステップＳ０５）、電圧が前記所定値より下降した状態から上昇に転ずる上昇点を判定する（ステップＳ０６〜Ｓ０８）。上昇点は、図３（Ｃ）の波形図において点Ｐで示される。なお、上昇していない場合（ステップＳ０６でのＮｏ）、ステップＳ０９に示すように、電圧の上昇の判定を繰り返す（ステップＳ０５及び０６）。また、ステップＳ０６の判定が、誤動作であるのを避けるため、上昇の判定を規定数まで行って（ステップＳ０７）、上昇回数が規定値かどうかを判定する（ステップＳ０８）。上昇回数が規定値に達していない場合（Ｎｏ）、ステップＳ０５に戻して、判定を続ける。かかる上昇点の判定を行うのは、電圧の上昇判定手段２３である。
【００２５】
ステップＳ０８において、上昇判定回数が規定値である場合（Ｙｅｓ）、トリガ信号生成手段２３は、トリガ信号を生成して、ライン２４及び２５を介してサイリスタＳＣＲ１及びＳＣＲ２のゲートにトリガ信号を送る（ステップＳ１０）。トリガ信号は、コントローラ１２で生成されたオン信号の期間による規定の時間幅を有するオン信号として生成される。従って、ステップＳ１１において、そのオン信号の規定時間について、待機する。その後、オン信号が終了した状態になり、進相コンデンサ３〜５の接続が切断される。ステップＳ１２は、スイッチ回路１０（又は１１）がオフ状態にあるので、サイリスタＳＣＲ１及びＳＣＲ２の両端Ａ−Ｂ間電圧が減少するかどうかを判定する。その電圧が減少していれば（Ｙｅｓ）、正常動作であるので、最初のステップＳ０１に戻る。電圧が減少いない場合（Ｎｏ）、ステップＳ１３で故障と判定して、回路の故障表示を、例えば、コントローラパネル（図示せず）等に表示する。
【００２６】
上記のように、本発明の実施形態では、図４のスイッチ回路を用いて、図５の動作を行うことによって、図３（Ｃ）の波形図の上昇点Ｐを見つけて、サイリスタＳＣＲ１及びＳＣＲ２の陽極−陰極間電圧が、ゼロボルトに下がる前にトリガ信号を生成して、進相コンデンサ３〜５の接続の遅れを防止する。従って、サイリスタ両端の電圧がゼロ交差する前にサイリスタをオン動作させるので、進相コンデンサの接続を高速にでき、力率の改善の効果が遅れることはなくなる。
【図面の簡単な説明】
【００２７】
【図１】三相交流進相コンデンサ用スイッチング装置のブロック図である。
【図２】（Ａ）は切断指令時の各位相ラインにおける電流波形図、（Ｂ）は進相コンデンサ側の位相間電圧の波形図である。
【図３】（Ａ）は電源側の位相ラインＲ−Ｓ間電圧の波形図、（Ｂ）は、スイッチ切断時の進相コンデンサ側の位相ラインＲ−Ｓ間電圧の波形図、（Ｃ）は、スイッチ切断時のサイリスタの両端の電圧の波形図である。
【図４】第１スイッチ回路又は第２スイッチ回路のブロック図である。
【図５】図４のスイッチ回路の動作のフローチャートである。
【符号の説明】
【００２８】
１  三相交流発電機
２  負荷機器
３〜５  進相コンデンサ
６  三相交流進相コンデンサ用スイッチング装置
７〜９  進相コンデンサの接続点
１０  第１スイッチ回路
１１  第２スイッチ回路
１２  コントローラ
１３  電力測定部
１４、１５  リアクトル
１６、１７  抵抗
２０  電圧検出手段
２１  電圧レベル判定手段
２２  電圧の上昇判定手段
２３  トリガ信号生成手段
２６  トリガ信号生成部
【図１】
0004357556.tif 000002
【図２】
0004357556.tif 000003
【図３】
0004357556.tif 000004
【図４】
0004357556.tif 000005
【図５】
0004357556.tif 000006